(57)【要約】【課題】専用の通信線を別途布設することなく、部屋間で呼出報知や通話を行うことができる温水暖房システムを提供する。【解決手段】居室Ｒ１〜Ｒ４内に設置された４台のファンコンベクタ３０と、これらのファンコンベクタ３０に温水を循環供給する温水暖房熱源機１０と、温水暖房熱源機１０を操作する操作リモコン２０と、ファンコンベクタ３０、温水暖房熱源機１０及び操作リモコン２０を双方向通信可能に接続するシリアルインターフェース５１、５２とを備えている。ファンコンベクタ３０の操作パネル３１には、他のファンコンベクタ３０に呼出信号を送信するための呼出操作スイッチや各ファンコンベクタ３０の呼出用アドレスを設定するためのアドレス設定スイッチが設けられており、各ファンコンベクタ３０のコントローラ３０ａは、設定された呼出用アドレスを記憶する記憶部と、呼出信号を受信して鳴動する呼出ブザーとを備えている。【選択図】        図１
2004316963.tif 000002
【特許請求の範囲】
【請求項１】
複数の温水暖房端末装置と、
複数の前記温水暖房端末装置に温水を供給する温水暖房熱源機とを備え、
複数の前記温水暖房端末装置及び前記温水暖房熱源機が、双方向通信可能な通信手段を介して、相互に接続された温水暖房システムにおいて、
前記温水暖房端末装置は、呼出信号を出力するための呼出操作手段を有し、
前記呼出操作手段を操作することによって出力された呼出信号を、前記通信手段を介して、他の前記温水暖房端末装置に送信し、
呼出信号を受信した他の前記温水暖房端末装置が呼出報知を行うようになっていることを特徴とする温水暖房システム。
【請求項２】
それぞれの前記温水暖房端末装置は、他の複数の前記温水暖房端末装置に対して、一斉に呼出信号を送信することができるようになっている請求項１に記載の温水暖房システム。
【請求項３】
それぞれの前記温水暖房端末装置は、他の特定の前記温水暖房端末装置に対して、呼出信号を送信することができるようになっている請求項１または２に記載の温水暖房システム。
【請求項４】
複数の温水暖房端末装置と、
複数の前記温水暖房端末装置に温水を供給する温水暖房熱源機とを備え、
複数の前記温水暖房端末装置及び前記温水暖房熱源機が、双方向通信可能な通信手段を介して、相互に接続された温水暖房システムにおいて、
前記温水暖房端末装置には、入力された音声を音声信号に変換して出力する音声入力手段と、音声信号を音声に変換して出力する音声出力手段とを設け、
前記温水暖房端末装置間で、前記通信手段を介して、音声信号を送受信させることによって、前記温水暖房端末装置に通話機能を付与したことを特徴とする温水暖房システム。
【請求項５】
前記温水暖房端末装置は、指定された前記温水暖房端末装置との間でのみ音声信号を送受信するようになっている請求項４に記載の温水暖房システム。
【請求項６】
前記温水暖房端末装置は、他の全ての前記温水暖房端末装置との間で音声信号を送受信するようになっている請求項４または５に記載の温水暖房システム。
【発明の詳細な説明】
【０００１】
【発明の属する技術分野】
この発明は、温水暖房熱源機によって生成された温水を利用して温水暖房端末装置が暖房を行う温水暖房システムに関する。
【０００２】
【従来の技術】
家屋内における複数の居室を暖房する場合、例えば、居室内にファンコンベクタ等の温水暖房端末装置を設置し、屋外に設置される温水暖房熱源機によって生成された温水を、居室内に設置された温水暖房端末装置に循環供給することによって居室内を暖房する温水暖房システムが採用される場合がある。
【０００３】
近年、こういった温水暖房システムでは、温水暖房熱源機とそれぞれの温水暖房端末装置とが、双方向通信可能な電源重畳信号伝送方式の通信手段を介して、相互に接続されており、台所等に設置された温水暖房熱源機の操作リモコンによって、各居室内に設置された温水暖房端末装置の発停を遠隔操作することができるだけではなく、いずれかの居室内に設置された温水暖房端末装置から他の居室内に設置された温水暖房端末装置の発停を遠隔操作することができるようになっている。
【０００４】
【特許文献１】
特開２０００−０７４３９５号公報
【０００５】
【発明が解決しようとする課題】
ところで、上述したような温水暖房端末装置が設置される居室間で呼出報知を行うには、例えば、呼出信号を出力するための押しボタン等を有する呼出操作手段及び呼出信号を受信して呼出報知を行う呼出報知手段を各部屋に設置し、呼出操作手段と呼出報知手段とを呼出専用の通信線を介して接続しなければならないが、既存の部屋間に通信線を布設しようとすると、必然的に露出配線となるので、こういった通信線を使用する呼出報知システムを構築することは事実上不可能である。
【０００６】
そこで、この発明の課題は、専用の通信線を別途布設することなく、部屋間で呼出報知や通話を行うことができる温水暖房システムを提供することにある。
【０００７】
【課題を解決するための手段及びその効果】
上記の課題を解決するため、請求項１にかかる発明は、複数の温水暖房端末装置と、複数の前記温水暖房端末装置に温水を供給する温水暖房熱源機とを備え、複数の前記温水暖房端末装置及び前記温水暖房熱源機が、双方向通信可能な通信手段を介して、相互に接続された温水暖房システムにおいて、前記温水暖房端末装置は、呼出信号を出力するための呼出操作手段を有し、前記呼出操作手段を操作することによって出力された呼出信号を、前記通信手段を介して、他の前記温水暖房端末装置に送信し、呼出信号を受信した他の前記温水暖房端末装置が呼出報知を行うようになっていることを特徴とする温水暖房システムを提供するものである。
【０００８】
以上のように、この温水暖房システムでは、温水暖房端末装置に設けられた呼出操作手段を操作することによって出力される呼出信号を、通信手段を介して、他の温水暖房端末装置に送信し、呼出信号を受信した他の温水暖房端末装置が呼出報知を行うようになっているので、温水暖房端末装置が設置されている部屋間に呼出専用の通信線を別途布設する必要がない。
【０００９】
従って、既存の部屋であっても、温水暖房端末装置を設置して暖房を行うことができるのであれば、この温水暖房システムを用いて、その部屋を暖房することで、温水暖房端末装置を設置した部屋から、温水暖房端末装置を設置した他の部屋に対して、簡単かつ効率的に呼出報知を行うことが可能となる。
【００１０】
また、請求項２にかかる発明の温水暖房システムのように、それぞれの前記温水暖房端末装置が、他の複数の前記温水暖房端末装置に対して、一斉に呼出信号を送信することができるようになっているものにあっては、温水暖房端末装置が設置されている各部屋に対して、同時に呼出報知を行うことができるので、どの部屋にいるのかが分からない人や各部屋にいる人達を効率よく呼び出すことができる。
【００１１】
また、請求項３にかかる発明の温水暖房システムのように、それぞれの前記温水暖房端末装置が、他の特定の前記温水暖房端末装置に対して、呼出信号を送信することができるようになっているものにあっては、特定の部屋に対してだけ呼出報知を行うことができるので、特定の部屋にいる人だけを効率よく呼び出すことができる。
【００１２】
また、上記の課題を解決するため、請求項４にかかる発明は、複数の温水暖房端末装置と、複数の前記温水暖房端末装置に温水を供給する温水暖房熱源機とを備え、複数の前記温水暖房端末装置及び前記温水暖房熱源機が、双方向通信可能な通信手段を介して、相互に接続された温水暖房システムにおいて、前記温水暖房端末装置には、入力された音声を音声信号に変換して出力する音声入力手段と、音声信号を音声に変換して出力する音声出力手段とを設け、前記温水暖房端末装置間で、前記通信手段を介して、音声信号を送受信させることによって、前記温水暖房端末装置に通話機能を付与したことを特徴とする温水暖房システムを提供するものである。
【００１３】
以上のように、この温水暖房システムでは、双方向通信可能な通信手段を介して相互に接続された温水暖房端末装置に通話機能が付与されているので、温水暖房端末装置が設置されている部屋間に通話専用の通信線を別途布設する必要がなく、既存の部屋であっても、温水暖房端末装置を設置して暖房を行うことができるのであれば、この温水暖房システムを用いて、その部屋を暖房することで、温水暖房端末装置を設置した部屋間における通話を簡単かつ効率的に実現することができる。
【００１４】
また、請求項５にかかる発明の温水暖房システムのように、前記温水暖房端末装置は、指定された前記温水暖房端末装置との間でのみ音声信号を送受信するようになっているものにあっては、温水暖房端末装置が設置された特定の部屋にいる人だけと確実に通話することができる。
【００１５】
また、請求項６にかかる発明の温水暖房システムのように、前記温水暖房端末装置は、他の全ての前記温水暖房端末装置との間で音声信号を送受信するようになっているものにあっては、温水暖房端末装置が設置されている各部屋にいる人達と同時に通話することができるので、どの部屋にいるのかが分からない人や各部屋にいる人達と通話したい場合に有効である。
【００１６】
【発明の実施の形態】
以下、実施の形態について図面を参照して説明する。図１に示すように、この温水暖房システム１は、屋外に設置された温水暖房熱源機１０と、居室Ｒ１〜Ｒ４内にそれぞれ設置された４台のファンコンベクタ３０とが温水の循環経路を形成する外部配管４１、４２によってそれぞれ接続されたものであり、温水暖房熱源機１０によって生成された温水を４台のファンコンベクタ３０に循環供給することによって、居室Ｒ１〜Ｒ４内を暖房するようになっている。
【００１７】
前記温水暖房熱源機１０は、暖房機能の他、シャワーやカラン等への給湯機能及び浴室内に設置された浴槽に対する自動注湯機能や追焚機能を備えた、例えば、２缶３水路タイプの複合給湯器であり、台所や浴室（図示せず）には、この温水暖房熱源機１０を操作するための操作リモコン２０が設置されている。
【００１８】
前記ファンコンベクタ３０は、室内の空気を循環させる循環ファンと、温水暖房熱源機１０から外部配管４１、４２を介して循環供給される温水と循環空気との間で熱交換を行う熱交換器と、室温を設定温度に保持するために熱交換器への温水の供給をＯＮ、ＯＦＦ制御する熱動弁とを備えており、操作パネル３１には、図２に示すように、ファンコンベクタ３０自体を操作するための運転スイッチ３２、室温や時刻を設定するための温度・時刻設定スイッチ３３、３４、室内温度や設定温度等を表示する表示部３５等が設けられている。
【００１９】
前記温水暖房熱源機１０、操作リモコン２０及び各ファンコンベクタ３０には、通信手段であるシリアルインターフェース５１、５２を介して相互に通信可能なコントローラ１０ａ、２０ａ、３０ａがそれぞれ搭載されており、これらのコントローラ１０ａ、２０ａ、３０ａが相互に連携をとりながら、温水暖房熱源機１０の運転動作を統括的に制御している。
【００２０】
また、この温水暖房システム１は、各ファンコンベクタ３０によって、居室Ｒ１〜Ｒ４内を暖房することができるだけでなく、いずれか一のファンコンベクタ３０から、シリアルインターフェース５２を介して、他のファンコンベクタ３０に呼出信号を送信することで、いずれか一の居室から他の居室に対して呼出報知を行うことができるようになっている。
【００２１】
従って、各ファンコンベクタ３０の操作パネル３１には、上述した暖房用の各種スイッチ以外に、他のファンコンベクタ３０にＯＮ状態またはＯＦＦ状態の呼出信号を送信するための呼出操作スイッチ３６や各ファンコンベクタ３０の呼出用アドレスを設定するためのアドレス設定スイッチ３７が設けられており、各ファンコンベクタ３０のコントローラ３０ａは、操作パネル３１のアドレス設定スイッチ３７を操作することによって設定された呼出用アドレス（特殊コードである「００」、「ＦＦ」を除く１６進数）を記憶する記憶部と、他のファンコンベクタ３０が送信したＯＮ状態の呼出信号を受信して鳴動する呼出ブザーとを備えている。
【００２２】
以上のように構成された温水暖房システム１を利用して、呼出報知を行うためには、予め、各ファンコンベクタ３０に対して、呼出用のアドレスをそれぞれ設定しておく必要があり、具体的には、以下のようにして、各ファンコンベクタ３０のアドレスの設定を順次行う。まず、ファンコンベクタ３０の操作パネル３１のアドレス設定スイッチ３７を操作すると、表示部３５にアドレスの設定状態が表示される。ここで、そのファンコンベクタ３０に、未だ、アドレスが設定されていない場合は、表示部３５に１６進数の「００」が表示されるので、温度・時刻設定スイッチ３３、３４を適宜操作することによって、設定しようとするアドレス（例えば、１６進数の「０１」等）を表示部３５に表示させ、再度、アドレス設定スイッチ３７を操作すると、表示部３５に表示されているアドレスが、そのファンコンベクタ３０に割り当てられ、コントローラ３０ａの記憶部に記憶される。なお、設定しようとしているアドレスが、他のファンコンベクタ３０に既に設定されている場合は、ブザーが鳴動することによって、その旨が報知される。
【００２３】
このようにして、全てのファンコンベクタ３０に呼出用のアドレスが設定された状態で、いずれか一のファンコンベクタ３０から他のファンコンベクタ３０に対して呼出報知を行う場合は、まず、呼出元となるファンコンベクタ３０の操作パネル３１の呼出操作スイッチ３６を操作すると、表示部３５に他の全てのファンコンベクタ３０を呼出先として指定することを意味する１６進数の「ＦＦ」が表示される。
【００２４】
ここで、他の全てのファンコンベクタ３０に対して呼出報知を行いたい場合は、再度、呼出操作スイッチ３６を操作すると、ＯＮ状態の呼出信号が、呼出元であるファンコンベクタ３０のコントローラ３０ａから、他の全てのファンコンベクタ３０のコントローラ３０ａに同時に送信され、ＯＮ状態の呼出信号を受信した他の全てのファンコンベクタ３０のコントローラ３０ａが、それぞれの呼出ブザーを鳴動させるので、他の全てのファンコンベクタ３０が設置されている部屋で一斉に呼出報知が行われることになる。
【００２５】
一方、特定のファンコンベクタ３０に対してだけ、呼出報知を行いたい場合は、表示部３５に１６進数の「ＦＦ」が表示されている状態で、温度・時刻設定スイッチ３３、３４を適宜操作することによって、呼出報知を行おうとしている特定のファンコンベクタ３０のアドレスを表示部３５に表示させ、再度、呼出操作スイッチ３６を操作すると、ＯＮ状態の呼出信号が、呼出元であるファンコンベクタ３０のコントローラ３０ａから、呼出先となる特定のファンコンベクタ３０のコントローラ３０ａにだけ送信され、ＯＮ状態の呼出信号を受信した特定のファンコンベクタ３０のコントローラ３０ａが、その呼出ブザーを鳴動させるので、特定のファンコンベクタ３０が設置されている部屋でのみ、呼出報知が行われることになる。
【００２６】
また、ファンコンベクタ３０が呼出ブザーを鳴動させて、呼出報知を行っている間は、そのファンコンベクタ３０の表示部３５に呼出元のファンコンベクタ３０のアドレスが表示されるようになっており、これによって、どこの部屋から呼び出しがかかっているのかを把握することができる。
【００２７】
このようにして、呼出先のファンコンベクタ３０が呼出報知を行っている状態で、再度、呼出元であるファンコンベクタ３０の呼出操作スイッチ３６を操作すると、ＯＦＦ状態の呼出信号が、呼出報知を行っている呼出先のファンコンベクタ３０のコントローラ３０ａに送信され、ＯＦＦ状態の呼出信号を受信した呼出先のファンコンベクタ３０のコントローラ３０ａが、呼出ブザーの鳴動を停止させるので、その時点で呼出報知が停止されることになる。なお、呼出報知を開始した後、所定時間が経過しても、呼出先のファンコンベクタ３０のコントローラ３０ａが、ＯＦＦ状態の呼出信号を受信しない場合は、その時点で、呼出ブザーの鳴動が自動的に停止されるようになっている。
【００２８】
以上のように、この温水暖房システム１では、ファンコンベクタ３０に設けられた呼出操作スイッチ３６を操作することによって出力されるＯＮ状態の呼出信号を、通信手段であるシリアルインターフェース５２を介して、他のファンコンベクタ３０に送信し、ＯＮ状態の呼出信号を受信した他のファンコンベクタ３０が呼出報知を行うようになっているので、ファンコンベクタ３０が設置されている部屋間に呼出専用の通信線を別途布設しなくても、ファンコンベクタ３０が設置されている一の部屋から、ファンコンベクタ３０が設置されている他の部屋に対して、簡単かつ効率的に呼出報知を行うことができる。
【００２９】
また、この温水暖房システム１では、いずれか一のファンコンベクタ３０から、他の全てのファンコンベクタ３０に対して、一斉に呼出信号を送信することができるので、他の全てのファンコンベクタ３０が設置されている各部屋に対して、同時に呼出報知を行うことが可能であり、どの部屋にいるのかが分からない人や各部屋にいる人達を効率よく呼び出すことができる。
【００３０】
さらに、この温水暖房システム１では、いずれか一のファンコンベクタ３０から、他の特定のファンコンベクタ３０を指定して、呼出信号を送信することもできるので、特定の部屋に対してだけ呼出報知を行うことも可能であり、特定の部屋にいる人だけを効率よく呼び出すこともできる。
【００３１】
なお、上述した実施形態では、それぞれのファンコンベクタ３０のアドレス設定スイッチ３７を操作することによって、それぞれのファンコンベクタ３０のアドレスを手動で設定するようにしているが、これに限定されるものではなく、いずれか一のファンコンベクタ３０のアドレス設定スイッチ３７を操作することによって、各ファンコンベクタ３０に対して自動的にアドレスを割り当てて、それぞれのコントローラ３０ａの記憶部にアドレスを自動的に記憶させるようにすることも可能である。
【００３２】
また、上述した実施形態では、呼出先や呼出元のファンコンベクタ３０を、１６進数のコードで表わされる呼出用のアドレスで、表示部３５に表示するようになっているが、これに限定されるものではなく、予め、ファンコンベクタが設置されている居室の部屋名（例えば、略称等）を、そのファンコンベクタのアドレスに関連づけた状態で入力しておき、アドレスに代えて部屋名を表示させることも可能であり、これによって、呼出先の指定や呼出元の把握が容易になるという効果が得られる。
【００３３】
また、上述した実施形態では、呼出ブザーを鳴動させることによって呼出報知を行うようにしているが、これに限定されるものではなく、例えば、呼出ブザーに代えて、予め記憶した音声メッセージによって呼出報知を行うことも可能である。
【００３４】
また、上述した実施形態では、ファンコンベクタ３０を利用して呼出報知を行うようにした温水暖房システム１について説明したが、これに限定されるものではなく、各ファンコンベクタに、入力された音声を音声信号に変換して出力する音声入力手段としてのマイクと、音声信号を音声に変換して出力する音声出力手段としてのスピーカとを設け、ファンコンベクタ間で、通信手段を介して、音声信号を送受信させることによって、呼出機能に代えて、ファンコンベクタに通話機能を付与することも可能である。
【００３５】
その場合も、上述した温水暖房システム１と同様に、いずれか一のファンコンベクタから、他の全てのファンコンベクタに対して、一斉に音声信号を送信することによって、ファンコンベクタが設置されている各部屋にいる人達と同時に通話する複数同時通話と、いずれか一のファンコンベクタから、他の特定のファンコンベクタを指定して、音声信号を送信することによって、ファンコンベクタが設置された特定の部屋にいる人だけと通話する個別通話とを、任意に選択することができるようにしておくことが望ましい。
【００３６】
また、上述した実施形態では、温水暖房端末装置であるファンコンベクタ間だけで呼出報知や通話を行うようにしているが、これに限定されるものではなく、ファンコンベクタ間だけでなく、台所や浴室に設置される操作リモコンとファンコンベクタとの間で、呼出報知や通話を行わせることも可能である。
【００３７】
また、上述した実施形態では、温水暖房端末装置としてファンコンベクタを使用した温水暖房システムについて説明したが、これに限定されるものではなく、ファンが搭載されていないコンベクタ等の種々の温水式ルームヒータを使用した温水暖房システムについて、本発明を適用することができることはいうまでもない。
【図面の簡単な説明】
【図１】この発明にかかる温水暖房システムの一実施形態を示す概略構成図である。
【図２】同上の温水暖房システムを構成しているファンコンベクタの操作パネルを示す平面図である。
【符号の説明】
１  温水暖房システム
１０  温水暖房熱源機
１０ａ  コントローラ
２０  操作リモコン
２０ａ  コントローラ
３０  ファンコンベクタ（温水暖房端末装置）
３０ａ  コントローラ
３１  操作パネル
３２  運転スイッチ
３３、３４  温度・時刻設定スイッチ
３５  表示部
３６  呼出操作スイッチ（呼出操作手段）
３７  アドレス設定スイッチ
４１、４２  外部配管
５１、５２  シリアルインターフェース（通信手段）
【図１】
2004316963.tif 000003
【図２】
2004316963.tif 000004